(57)【要約】  タイミングアドバンス（ＴＡ）がハンドオーバプロシージャの一部として決定されなければならない場合、ＲＡＣＨ−ｌｅｓｓハンドオーバを使用して、ＲＡＣＨプロシージャを完了するのに必要な追加の時間を短縮することができる。ＲＡＣＨ−ｌｅｓｓハンドオーバを容易にするために、ソース基地局は、ＵＥ装置が上りリンク信号をソース基地局に送信するために使用することとなる無線送信設定をターゲット基地局に通知し、ソース基地局は、無線送信設定に従って、ＵＥ装置を設定する。ＵＥ装置は、指定された無線送信設定を使用してソース基地局に上りリンク信号を送信し、ターゲット基地局は、上りリンク信号を受信する。ハンドオーバプロシージャが開始される前に、ＵＥ装置は、これらの上りリンク信号をソース基地局に送信する。ターゲット基地局は、上りリンク信号に基づいてＴＡを算出し、ＴＡは、ハンドオーバコマンドにおいてＵＥ装置にシグナル伝達され得る。
2019525626.tif 000002
【特許請求の範囲】
【請求項１】
ソース基地局によってサービスが提供されているユーザ機器（ＵＥ）装置に関連するＵＥ装置無線送信設定情報をターゲット基地局に送信することと、
前記ＵＥ装置が、前記ＵＥ装置無線送信設定情報に関連付けられたＵＥ装置無線送信設定を使用して、第１の送信を送信することと、
前記ターゲット基地局が、前記第１の送信を受信することと、
前記ターゲット基地局が、前記受信した第１の送信に少なくとも部分的に基づいて、前記ターゲット基地局と前記ＵＥ装置との間のタイミング差を判定することと、
前記タイミング差を判定した後、前記ソース基地局から前記ターゲット基地局への前記ＵＥ装置のハンドオーバを開始することと、を含む、方法。
【請求項２】
前記ＵＥ装置無線送信設定情報は、
前記ＵＥ装置に割り当てられたプリアンブルと、
前記割り当てられたプリアンブルを前記第１の送信の一部として送信するために、前記ＵＥ装置によって使用されるサブフレームを識別するサブフレーム識別子と、を含む、請求項１に記載の方法。
【請求項３】
前記第１の送信を送信することは、
前記ＵＥ装置が、前記割り当てられたプリアンブル及び前記サブフレーム識別子によって識別された前記サブフレームを使用して、ランダムアクセスチャネル（ＲＡＣＨ）送信を送信することを含む、請求項２に記載の方法。
【請求項４】
タイミングアドバンスを前記ＵＥ装置に送信することを更に含み、前記タイミングアドバンスは、前記タイミング差に少なくとも部分的に基づいている、請求項１に記載の方法。
【請求項５】
前記タイミングアドバンスは、ハンドオーバコマンドの一部として送信される、請求項４に記載の方法。
【請求項６】
前記タイミングアドバンスは、ハンドオーバプロシージャ中に送信される、請求項４に記載の方法。
【請求項７】
前記ターゲット基地局にＵＥ装置無線送信設定情報を送信することは、リソースステータス要求メッセージを送信することを含む、請求項１に記載の方法。
【請求項８】
基地局であって、
他の基地局によってサービスが提供されているユーザ機器（ＵＥ）装置に関連するＵＥ装置無線送信設定情報を受信することと、
前記ＵＥ装置から、前記ＵＥ装置無線送信設定情報に関連付けられたＵＥ装置無線送信設定を使用して、第１の送信を受信することと、を行うように構成された受信部と、
前記受信部に連結された制御部であって、
前記受信した第１の送信に少なくとも部分的に基づいて、前記基地局と前記ＵＥ装置との間のタイミング差を判定することと、
前記他の基地局から前記基地局への前記ＵＥ装置のハンドオーバに協働することであって、前記ハンドオーバは、前記タイミング差が判定された後に前記他の基地局によって開始される、ことと、を行うように構成された制御部と、を備える、基地局。
【請求項９】
前記ＵＥ装置無線送信設定情報は、
前記ＵＥ装置に割り当てられたプリアンブルと、
前記第１の送信の一部として前記割り当てられたプリアンブルを送信するために前記ＵＥ装置によって使用されるサブフレームを識別するサブフレーム識別子と、を含む、請求項８に記載の基地局。
【請求項１０】
前記第１の送信は、
前記割り当てられたプリアンブル及び前記サブフレーム識別子によって識別された前記サブフレームを使用して送信されるランダムアクセスチャネル（ＲＡＣＨ）送信を含む、請求項９に記載の基地局。
【請求項１１】
前記制御部に連結された送信部であって、前記送信部は、前記タイミング差に少なくとも部分的に基づいているタイミングアドバンスを前記ＵＥ装置に送信するように構成されている、送信部を更に備える、請求項８に記載の基地局。
【請求項１２】
前記送信部は、ハンドオーバコマンドの一部として前記タイミングアドバンスを送信するように更に構成されている、請求項１１に記載の基地局。
【請求項１３】
前記送信部は、前記ハンドオーバプロシージャ中に前記タイミングアドバンスを送信するように更に構成されている、請求項１１に記載の基地局。
【請求項１４】
ユーザ機器（ＵＥ）装置と、
前記ＵＥ装置にサービス提供するソース基地局であって、前記ソース基地局は、
前記ＵＥ装置に関連するＵＥ装置無線送信設定情報を送信するように構成された送信部と、
前記ソース基地局から前記ターゲット基地局への前記ＵＥ装置のハンドオーバを開始するように構成された制御部と、を含む、ソース基地局と、
ターゲット基地局であって、
前記ＵＥ装置無線送信設定情報を受信することと、
前記ＵＥ装置から、前記ＵＥ装置無線送信設定情報に関連付けられたＵＥ装置無線送信設定を用いた第１の送信を受信することと、を行うように構成された受信部と、
前記受信部に連結された制御部であって、
前記受信した第１の送信に少なくとも部分的に基づいて、前記ターゲット基地局と前記ＵＥ装置との間のタイミング差を判定することと、
前記ソース基地局から前記ターゲット基地局への前記ＵＥ装置の前記ハンドオーバに協働することであって、前記ハンドオーバは、前記タイミング差が判定された後に前記ソース基地局によって開始される、ことと、を行うように構成された制御部と、を含む、ターゲット基地局と、を備える、システム。
【請求項１５】
前記ソース基地局の前記送信部は、前記ＵＥ装置無線送信設定情報をリソースステータス要求メッセージとして送信するように更に構成されている、請求項１４に記載のシステム。
【請求項１６】
前記ＵＥ装置無線送信設定情報は、
前記ＵＥ装置に割り当てられたプリアンブルと、
前記第１の送信の一部として前記割り当てられたプリアンブルを送信するために前記ＵＥ装置によって使用されるサブフレームを識別するサブフレーム識別子と、を含む、請求項１４に記載のシステム。
【請求項１７】
前記第１の送信は、
前記割り当てられたプリアンブル及び前記サブフレーム識別子によって識別された前記サブフレームを使用して送信されるランダムアクセスチャネル（ＲＡＣＨ）送信を含む、請求項１６に記載のシステム。
【請求項１８】
前記ターゲット基地局は、
前記制御部に連結された送信部であって、前記送信部は、前記タイミング差に少なくとも部分的に基づいているタイミングアドバンスを前記ＵＥ装置に送信するように構成されている、送信部を更に含む、請求項１４に記載のシステム。
【請求項１９】
前記ターゲット基地局の前記送信部は、ハンドオーバコマンドの一部として前記タイミングアドバンスを送信するように更に構成されている、請求項１８に記載のシステム。
【請求項２０】
前記ターゲット基地局の前記送信部は、前記ハンドオーバプロシージャ中に前記タイミングアドバンスを送信するように更に構成されている、請求項１８に記載のシステム。
【発明の詳細な説明】
【優先権の主張】
【０００１】
本願は、本願の譲受人へ譲渡され、その全体が参照により本明細書により明示的に援用されている、２０１６年８月１２日に出願された、発明の名称が「ＴＩＭＩＮＧ  ＡＤＶＡＮＣＥ  ＤＥＴＥＲＭＩＮＡＴＩＯＮ  ＢＹ  ＴＡＲＧＥＴ  ＥＮＢ  ＦＯＲ  ＲＡＣＨ−ＬＥＳＳ  ＨＡＮＤＯＶＥＲ」である仮出願第６２／３７４，５１１号の優先権を主張する。
【技術分野】
【０００２】
本発明は、全般的には、無線通信に関し、特に、基地局間のユーザ機器装置のハンドオーバに関する。
【背景技術】
【０００３】
従来のシステムでは、ソース基地局（例えば、ソースｅＮＢ）からターゲット基地局（例えば、ターゲットｅＮＢ）へのユーザ機器（ＵＥ）装置のハンドオーバは、ソース基地局が（例えば、ハンドオーバを開始するための）ハンドオーバ要求メッセージをターゲット基地局に送信することと、ターゲット基地局が応答してメッセージを送信することと、を伴う。ソース基地局は、ターゲット基地局の上りリンクリソースをＵＥ装置にシグナル伝達し、ＵＥ装置は、ランダムアクセスチャネル（ＲＡＣＨ）プロシージャのために上りリンクリソースを利用する。ＵＥ装置がターゲット基地局にハンドオーバされた後、ＵＥ装置は、ＲＡＣＨプロシージャの一部として、ターゲット基地局に上りリンク信号を送信する。ターゲット基地局は、ＵＥ装置から受信した上りリンク信号を使用して、ハンドオーバ後にＵＥ装置の上りリンク送信をターゲット基地局に同期させるために必要なタイミングアドバンス（ＴＡ）を算出する。ターゲット基地局は、ＲＡＣＨプロシージャの一部として、ＵＥ装置が、ターゲット基地局への上りリンクアクセスを得るために、必要な他のリソースと共に、ＴＡをシグナル伝達する。
【発明の概要】
【０００４】
タイミングアドバンス（ＴＡ）がハンドオーバプロシージャの一部として決定されなければならない場合、ＲＡＣＨ−ｌｅｓｓハンドオーバを使用して、ＲＡＣＨプロシージャを完了するのに必要な追加の時間を短縮することができる。ＲＡＣＨ−ｌｅｓｓハンドオーバを容易にするために、ソース基地局は、ＵＥ装置が上りリンク信号をソース基地局に送信するために使用することとなる無線送信設定をターゲット基地局に通知し、ソース基地局は、無線送信設定に従って、ＵＥ装置を設定する。ＵＥ装置は、指定された無線送信設定を使用してソース基地局に上りリンク信号を送信し、ターゲット基地局は、上りリンク信号を受信する。ハンドオーバプロシージャが開始される前に、ＵＥ装置は、これらの上りリンク信号をソース基地局に送信する。ターゲット基地局は、上りリンク信号に基づいてＴＡを算出し、ＴＡは、ハンドオーバコマンドにおいてＵＥ装置にシグナル伝達され得る。
【図面の簡単な説明】
【０００５】
図１は、ソース基地局からターゲット基地局へのＵＥ装置のハンドオーバが、ターゲット基地局とＵＥ装置との間のタイミング差を判定した後に開始される一例に関する通信システムのブロック図である。
【０００６】
図２Ａは、図１に示す基地局の一例のブロック図である。
【０００７】
図２Ｂは、図１に示すＵＥ装置の一例のブロック図である。
【０００８】
図３は、図１に示す様々なシステム構成要素間で交換されるメッセージの一例のメッセージ伝達図である。
【０００９】
図４は、ソース基地局からターゲット基地局へのＵＥ装置のハンドオーバが、ターゲット基地局とＵＥ装置との間のタイミング差を判定した後に開始される方法の一例のフローチャートである。
【発明を実施するための形態】
【００１０】
従来のシステムの１つの欠点は、ハンドオーバプロシージャが既に開始された後にＴＡ決定工程が実行され、これにより、ハンドオーバプロシージャを完了するのに必要な時間量を無用に増加させていることである。以下でより十分に説明されるように、ＴＡがハンドオーバプロシージャの一部として算出されなければならない場合、ＲＡＣＨ−ｌｅｓｓハンドオーバを使用して、ＲＡＣＨプロシージャを完了するのに必要な追加の時間を削減することができる。本明細書で使用される場合、用語「ＲＡＣＨ−ｌｅｓｓハンドオーバ」は、ハンドオーバ中、ユーザ機器（ＵＥ）装置によるターゲット基地局（例えば、ターゲットｅＮＢ）へのランダムアクセスチャネル（ＲＡＣＨ）の送信をスキップすることを指す。ＲＡＣＨプロシージャは、ハンドオーバ遅延のかなりの部分を占めるため、これにより、ハンドオーバプロシージャの遅延を有意に改善することができる。本発明によるＲＡＣＨ−ｌｅｓｓハンドオーバの１つの主な態様は、ハンドオーバが開始された後に、上りリンクＲＡＣＨ送信に基づいて、ターゲット基地局にＴＡを算出させるのではなく、ハンドオーバプロシージャが開始される前に、ＵＥがターゲット基地局に関連するタイミングアドバンス（ＴＡ）を取得することである。
【００１１】
本発明によれば、ＲＡＣＨ−ｌｅｓｓハンドオーバを遂行するために、ソース基地局は、ターゲット基地局によって受信されるべき上りリンクにおける信号を送信するために、ＵＥ装置によって使用されることとなる無線送信設定をターゲット基地局に通知し、ソース基地局は、無線送信設定に従ってＵＥ装置を設定する。ハンドオーバプロシージャが開始される前に、ＵＥ装置の設定及びこれらの上りリンク信号の送信が行われる。ソース基地局は、ＵＥ装置が他の基地局へハンドオーバすることができる／するべきであることを示す任意の好適な基準（例えば、ソース基地局、ターゲット基地局、ＵＥ装置からの測定報告）に基づいて、ＵＥ装置設定プロセスを開始することができる。ＵＥ装置から上りリンク信号を受信すると、ターゲット基地局は、ハンドオーバコマンドにおいてＵＥ装置にシグナル伝達されるＴＡを算出する。
【００１２】
図１は、ソース基地局からターゲット基地局へのＵＥ装置のハンドオーバが、ターゲット基地局とＵＥ装置との間のタイミング差を判定した後に開始される一例の通信システムのブロック図である。通信システム１００は、無線アクセスネットワークの一部である様々な基地局のそれぞれのサービスエリア内に位置するＵＥ装置に様々な無線サービスを提供する無線アクセスネットワーク（図示せず）の一部である。
【００１３】
明確かつ簡潔にするために、通信システム１００は、ソース基地局１０２及びターゲット基地局１０４のみを有するものとして図示されている。しかしながら、他の例では、通信システム１００は、任意の好適な数の基地局を有することができると考えられる。図１の例では、ソース基地局１０２のためのサービスエリアの少なくとも一部は、セル１０８によって表され、ターゲット基地局１０４のためのサービスエリアの少なくとも一部は、セル１１２によって表される。セル１０８、１１２は、楕円で表されているが、典型的な通信システム１００は、複数のセルを有すると考えられ、各セルは、様々な形状の地理的サービスエリアを有する。ｅノードＢ又はｅＮＢと呼ばれる場合がある基地局１０２、１０４は、それぞれ下りリンク信号１１０、１１４をＵＥ装置１０６に送信することによって無線ユーザ機器（ＵＥ）装置１０６と通信する。基地局１０２、１０４は、ＵＥ装置１０６から送信された上りリンク信号１１８を受信する。ＵＥ装置１０６は、例えば、携帯電話、トランシーバモデム、携帯情報端末（ＰＤＡ）、又はタブレットなどの任意の無線通信装置である。
【００１４】
基地局１０２、１０４は、既知の手法に従ってバックホール（図示せず）を介してネットワークに接続されている。図２Ａに示すように、ソース基地局１０２は、制御部２０４、送信部２０６、及び受信部２０８、並びに他の電子装置、ハードウェア、及びコードを含む。図２Ａは、ソース基地局１０２の回路及び構成を具体的に示しているが、同じ基地局回路及び構成が通信システム１００内のターゲット基地局１０４に利用されている。基地局１０２は、本明細書で説明する機能を実行する任意の固定型、移動型、又は携帯型機器である。基地局１０２を参照して説明されるブロックの多様な機能及び動作は、任意の数の装置、回路、又は要素において実施されてもよい。機能ブロックのうちの２つ以上は、単一の装置に統合されてもよく、任意の単一の装置において実行されるように説明された機能は、複数の装置にわたって実行されてもよい。
【００１５】
図２Ａに示す例では、基地局１０２は、固定装置、又はシステム展開時に特定の位置に設置される装置であってもよい。このような機器の一部の例としては、固定基地局又は固定送受信局が挙げられる。状況によっては、基地局１０２は、特定の位置に一時的に設置される移動機器であってもよい。このような機器の一部の例としては、発電機、太陽光パネル、及び／又はバッテリなどの発電機器を含むことができる移動型送受信局が挙げられる。大重量型のこのような機器は、トレーラーによって輸送することができる。更に他の状況では、基地局１０２は、任意の特定の位置に固定されない携帯型装置であってもよい。したがって、基地局１０２は、状況によっては、ＵＥ装置などの携帯型ユーザ装置であってもよい。
【００１６】
制御部２０４は、本明細書に記載された機能を実行し、基地局１０２の機能性全体を促進する、ハードウェア、ソフトウェア、及び／又はファームウェアの任意の組み合わせを含む。好適な制御部２０４の例としては、メモリに接続されたマイクロプロセッサ又はプロセッサ配置上で動作するコードが挙げられる。送信部２０６は、無線信号を送信するように構成された電子装置を含む。状況によっては、送信部２０６は、複数の送信部を含むことができる。受信部２０８は、無線信号を受信するように構成された電子装置を含む。状況によっては、受信部２０８は、複数の受信部を含むことができる。受信部２０８及び送信部２０６は、それぞれ、アンテナ２１０を介して信号を受信及び送信する。アンテナ２１０は、別個の送信アンテナ及び受信アンテナを含むことができる。状況によっては、アンテナ２１０は、複数の送信アンテナ及び受信アンテナを含むことができる。
【００１７】
図２Ａの例の送信部２０６及び受信部２０８は、変調及び復調を含む高周波（ＲＦ）処理を実行する。したがって、受信部２０８は、低雑音増幅器（ＬＮＡ）及びフィルタなどの構成要素を含むことができる。送信部２０６は、フィルタ及び増幅器を含むことができる。他の構成要素としては、アイソレータ、整合回路、及びその他のＲＦ構成要素が挙げられる。これらの構成要素は、他の構成要素と組み合わせて、又はこれらに協働して、基地局の機能を実行する。必要な構成要素は、基地局によって必要とされる特定の機能に依拠し得る。
【００１８】
送信部２０６は、変調器（図示せず）を含み、受信部２０８は、復調器（図示せず）を含む。変調器は、下りリンク信号１１０の一部として送信される信号を変調し、複数の変調次数のうちの任意の１つを適用することができる。復調器は、複数の変調次数のうちの１つに従って、基地局１０２で受信された任意の上りリンク信号１１８を復調する。
【００１９】
図１に戻って、通信システム１００は、基地局１０２、１０４を介してＵＥ装置１０６に様々な無線サービスを提供する。本明細書における例として、通信システム１００は、第３世代パートナーシップ・プロジェクト・ロングターム・エボリューション（３ＧＰＰ  ＬＴＥ）の通信仕様の少なくとも１つのバージョンに従って動作する。ＵＥ装置１０６は、最初にソース基地局１０２によってサービスが提供され、それ故に、図２Ｂに示されるように、アンテナ２１２及び受信部２１４を介して下りリンク信号１１０を受信する。アンテナ２１２及び受信部２１４の他に、ＵＥ装置１０６は、制御部２１６及び送信部２１８、並びに他の電子装置、ハードウェア、及びコードを更に備える。ＵＥ装置１０６は、本明細書で記載された機能を実行する任意の固定型、移動型、又は携帯型機器である。ＵＥ装置１０６を参照して説明されるブロックの多様な機能及び動作は、任意の数の装置、回路、又は要素において実施されてもよい。機能ブロックのうちの２つ以上は、単一の装置に統合されてもよく、任意の単一の装置において実行されるように説明された機能は、複数の装置にわたって実行されてもよい。
【００２０】
制御部２１６は、本明細書に記載された機能を実行し、ＵＥ装置の機能性全体を促進する、ハードウェア、ソフトウェア、及び／又はファームウェアの任意の組み合わせを含む。好適な制御部２１６の例としては、メモリに接続されたマイクロプロセッサ又はプロセッサ配置上で動作するコードが挙げられる。送信部２１８は、無線信号を送信するように構成された電子装置を含む。状況によっては、送信部２１８は、複数の送信部を含むことができる。受信部２１４は、無線信号を受信するように構成された電子装置を含む。状況によっては、受信部２１４は、複数の受信部を含むことができる。受信部２１４及び送信部２１８は、それぞれ、アンテナ２１２を介して信号を受信及び送信する。アンテナ２１２は、別個の送信アンテナ及び受信アンテナを含むことができる。状況によっては、アンテナ２１２は、複数の送信アンテナ及び受信アンテナを含むことができる。
【００２１】
図２Ｂの例の送信部２１８及び受信部２１４は、変調及び復調を含む高周波（ＲＦ）処理を実行する。したがって、受信部２１４は、低雑音増幅器（ＬＮＡ）及びフィルタなどの構成要素を含むことができる。送信部２１８は、フィルタ及び増幅器を含むことができる。他の構成要素としては、アイソレータ、整合回路、及びその他のＲＦ構成要素が挙げられる。これらの構成要素は、他の構成要素と組み合わせて、又はこれらに協働して、ＵＥ装置の機能を実行する。必要な構成要素は、ＵＥ装置によって必要とされる特定の機能性に依拠し得る。
【００２２】
送信部２１８は、変調器（図示せず）を含み、受信部２１４は、復調器（図示せず）を含む。変調器は、図１に示す上りリンク信号１１８の一部として送信される信号を変調するための複数の変調次数のうちの任意の１つを適用することができる。復調器は、複数の変調次数のうちの１つに従って下りリンク信号１１０、１１４を復調する。
【００２３】
図１に示す例の動作の開始時に、ＵＥ装置１０６は、ソース基地局１０２によってサービスが提供されている。そのため、下りリンク信号１１０を受信すると、ＵＥ装置１０６は、下りリンク信号１１０を復調する。これにより、ソース基地局１０２がＵＥ装置１０６に提供している無線サービスのうちの少なくとも１つに関連するデータを含む符号化データパケットが生成される。ＵＥ装置１０６は、制御部２１６を使用して符号化データパケットを復号して、データを取得する。
【００２４】
ソース基地局１０２がＵＥ装置１０６をターゲット基地局１０４にハンドオーバするための、任意の１つ又は複数の基準が満たされると、ソース基地局１０２は、ＵＥ装置１０６に関連するＵＥ装置無線送信設定情報をターゲット基地局１０４に送信する。基準としては、例えば、ソース基地局１０２における無線の混雑状態、ＵＥ装置１０６に関する上りリンク／下りリンク信号の劣悪な／劣化した信号品質、及び／又はターゲット基地局１０４による利用可能なリソースの過少利用が挙げられる。ただし、任意の他の好適な基準を使用することができると考えられる。
【００２５】
使用される基準にかかわらず、ソース基地局１０２は、有線（例えば、Ｘ２）又は無線通信リンクを介してＵＥ装置無線送信設定情報をターゲット基地局１０４に送信することができる。送信が無線である場合、ソース基地局１０２は、送信部２０６及びアンテナ２１０を使用して、ＵＥ装置無線送信設定情報を送信する。ターゲット基地局１０４は、アンテナ２１０及び受信部２０８を介して、ＵＥ装置無線送信設定情報の無線送信を受信する。いくつかの例では、ＵＥ装置無線送信設定情報は、ターゲット基地局１０４へのリソースステータス要求メッセージとして送信される。ターゲット基地局１０４へのＵＥ装置無線送信設定情報の送信は、図３に信号３０２によって表されている。
【００２６】
ＵＥ装置無線送信設定情報は、上りリンク信号１１８を送信するときにＵＥ装置１０６によって使用されることとなる無線送信設定をターゲット基地局１０４に通知し、ターゲット基地局１０４は、ＵＥ装置１０６のタイミングアドバンスを算出するためにこれを使用する。ＵＥ装置無線送信設定情報は、例えば、ＵＥ装置１０６に割り当てられたプリアンブル、及び割り当てられたプリアンブルを上りリンク信号１１８の一部として送信するためにＵＥ装置１０６によって使用されるサブフレームを識別するサブフレーム識別子を含む。プリアンブルは、ソース基地局１０２が利用可能なプリアンブルのリストから選択することができる。同様に、サブフレームは、ソース基地局１０２が利用可能なサブフレームから選択することができる。もちろん、任意の他の好適な無線送信設定情報も同様に、ターゲット基地局１０４に提供されるＵＥ装置無線送信設定情報に含めることができる。
【００２７】
ソース基地局１０２は、上りリンク信号１１８を送信し、ターゲット基地局１０４に提供されたＵＥ装置無線送信設定を使用するようにＵＥ装置１０６に指示する。具体的には、図１に示す例では、ソース基地局１０２は、物理下りリンク制御チャネル（ＰＤＣＣＨ）オーダを使用してランダムアクセスプロシージャを実行するようにＵＥ装置１０６に命令する。同オーダは、（１）上りリンク信号１１８の一部として、ＵＥ装置１０６によって使用されるプリアンブル、及び（２）上りリンク信号１１８の一部として割り当てられたプリアンブルを送信するためにＵＥ装置１０６によって使用されるサブフレームを含む。図１及び図２Ａに示す例では、ソース基地局１０２は、送信部２０６及びアンテナ２１０を介して、ＰＤＣＣＨオーダをＵＥ装置１０６に送信する。ＵＥ装置１０６は、アンテナ２１２及び受信部２１４を介してＰＤＣＣＨオーダを受信する。ＵＥ装置１０６へのＵＥ装置無線送信設定の送信は、図３に信号３０４によって表されている。
【００２８】
ＵＥ装置無線送信設定を受信した後、ＵＥ装置１０６は、ターゲット基地局１０４に送信されたＵＥ装置無線送信設定情報に関連するＵＥ装置無線送信設定を使用して第１の送信を送信する。ＵＥ装置１０６は、送信部２１８及びアンテナ２１２を介して第１の送信を送信する。第１の送信は、上りリンク信号１１８として送られ、ターゲット基地局１０４によって受信される。ＵＥ装置１０６による第１の送信は、図３に信号３０６によって表されているこれに関して、信号３０６は、主要な意図は、ターゲット基地局１０４による信号３０６の受信であるが、両方の基地局が信号３０６を受信することができるので、ソース基地局１０２とターゲット基地局１０４の両方に送信されるものとして図３に示されている。
【００２９】
ターゲット基地局１０４は、アンテナ２１０及び受信部２０８を介して第１の送信を受信する。ターゲット基地局１０４の制御部２０４は、ＵＥ装置１０６からの第１の送信を受信すると、受信した第１の送信に少なくとも部分的に基づいて、ターゲット基地局１０４とＵＥ装置１０６との間のタイミング差を判定する。より具体的には、ターゲット基地局１０４は、ソース基地局１０２から、ＵＥ装置１０６からの第１の送信のタイミングを受信し、ターゲット基地局１０４がＵＥ装置１０６からの第１の送信を受信した時間に基づいて、ターゲット基地局１０４は、ターゲット基地局１０４とＵＥ装置１０６との間のタイミング差を判定することができる。
【００３０】
タイミング差が判定されると、ターゲット基地局１０４の制御部２０４は、ＵＥ装置１０６のタイミングアドバンス（ＴＡ）を決定する。ＴＡは、少なくとも部分的にタイミング差に基づいている。上述のように、ＵＥ装置１０６は、ハンドオーバ後にＴＡを利用して、その上りリンク送信をターゲット基地局１０４と同期させる。ターゲット基地局１０４は、送信部２０６及びアンテナ２１０を使用して、ＴＡをＵＥ装置１０６に送信する。一部の例では、ＴＡは、ハンドオーバコマンドの一部として送信され、ＴＡは、ソース基地局に送信され、その後、ソース基地局によってＵＥ装置に送信される。更に他の例では、ＴＡは、ハンドオーバプロシージャ中に送信される。ＵＥ装置１０６へのＴＡの送信は、信号３０８によって図３に表されている。
【００３１】
タイミング差が判定された後、ハンドオーバプロシージャが開始される。いくつかの例では、ソース基地局１０２の制御部２０４は、ソース基地局１０２からターゲット基地局１０４へのハンドオーバを開始し、ターゲット基地局１０４の制御部２０４は、ハンドオーバに協働するように構成されている。ＵＥ装置１０６が、ハンドオーバコマンドにおいて、ターゲット基地局１０４と共に使用されるＴＡを受信するという事実により、従来のシステムの場合のように、ターゲット基地局が、ハンドオーバプロシージャの一部としてＵＥ装置１０６からのＲＡＣＨ送信を測定する必要がないので、ハンドオーバプロシージャを有利に迅速に処理することができる。
【００３２】
図４は、ターゲット基地局とＵＥ装置との間のタイミング差を判定した後にソース基地局からターゲット基地局へのＵＥ装置のハンドオーバが開始される方法の一例のフローチャートである。方法４００は、ステップ４０２において、ＵＥ装置に関連付けられたＵＥ装置無線送信設定情報をターゲット基地局１０４に送信することで開始する。上述のように、ＵＥ装置無線送信設定情報は、ＵＥ装置に割り当てられたプリアンブル、及び第１の送信の一部として割り当てられたプリアンブルを送信するためにＵＥ装置によって使用されるサブフレームを識別するサブフレーム識別子を含むことができる。
【００３３】
ステップ４０４において、ソース基地局１０２は、ＵＥ装置無線送信設定情報をＵＥ装置１０６に送信する。ステップ４０６において、ＵＥ装置１０６は、ＵＥ装置無線送信設定情報に関連付けられたＵＥ装置無線設定を使用して、ターゲット基地局１０４に第１の送信を送信する。ステップ４０８において、ターゲット基地局１０４は、ＵＥ装置１０６から第１の送信を受信する。
【００３４】
ステップ４１０において、ターゲット基地局１０４は、ＵＥ装置１０６から受信した第１の送信に少なくとも部分的に基づいて、ターゲット基地局１０４とＵＥ装置１０６との間のタイミング差を判定する。ステップ４１２において、タイミング差を判定した後、ソース基地局１０２は、ソース基地局１０２からターゲット基地局１０４へのＵＥ装置１０６のハンドオーバを開始する。図４の例には図示されていないが、ターゲット基地局１０４はまた、タイミング差に少なくとも部分的に基づいて、タイミングアドバンス（ＴＡ）を決定することができ、ＴＡをＵＥ装置１０６に送信することができる。ＴＡは、ハンドオーバプロシージャ中にハンドオーバコマンドの一部として送信されてもよい。
【００３５】
当業者であれば、これらの教示に照らして、本発明の他の実施形態及び変更形態を容易に実施し得ることは明白である。上記の説明は、例示的なものであり、限定的なものではない。本発明は、特許請求の範囲によってのみ限定されるべきものであり、特許請求の範囲には、上述の詳細及び添付の図面を組み合わせて考慮した場合の、あらゆる実施形態及び変更形態が含まれる。したがって、本発明の範囲は、上記の説明を参照して判定されるのではなく、均等物の全範囲とともに、添付される請求の範囲を参照して判定されるべきである。
【図１】
2019525626.tif 000003
【図２Ａ】
2019525626.tif 000004
【図２Ｂ】
2019525626.tif 000005
【図３】
2019525626.tif 000006
【図４】
2019525626.tif 000007
【国際調査報告】
2019525626.tif 000008
2019525626.tif 000009